(57)【要約】      （修正有）【課題】貼り忘れがなく、新価格表示シールとともに、旧バーコード表示を削除するシールの提供する。【解決手段】値段表示部３ｂとそれに見合うバーコード表示部３ａとを同時に書き換えのために表示部分と、商品上の旧価格シール１０のバーコード１１以外の表示を削除することなく、バーコード表示の少なくとも縦一列のみを隠蔽できる部分４を備えることを特徴とする価格書換え用シールにある。【選択図】図３
2005121721.tif 000002
【特許請求の範囲】
【請求項１】
値段表示部３ｂとそれに見合うバーコード表示部３ａとを同時に表示できる書き換えのために表示部分３と、商品上の旧価格シールのバーコード以外の表示を隠蔽することなく、バーコード表示の少なくとも縦一列のみを隠蔽できる部分２、４を備えることを特徴とする価格書換え用シール。
【請求項２】
バーコード表示の少なくとも縦一列のみを隠蔽できる部分２がハーコード表示の縦長さと同一またはそれ以上の長さを有するシールの端辺であって、ミシン目２ｂにより長手方向に切り離し可能である請求項１記載の価格書換え用シール。
【請求項３】
バーコード表示の少なくとも縦一列のみを隠蔽できる部分４がシールの端辺から突出した部分であって、その幅がバーコードの縦長さより長く、価格シールの他の表示を隠蔽しない長さに制限されていることを特徴とする請求項１記載の価格書換え用シール。
【請求項４】
バーコード表示の少なくとも縦一列のみを隠蔽できる部分がシールの端辺であって、ミシン目２ａにより長手方向に切り離し可能である部分２と、シールの他の端辺から突出した部分４であって、その幅がバーコードの縦長さより長く、価格シールの他の表示を隠蔽しない長さに制限されていることを特徴とする請求項１記載の価格書換え用シール。
【請求項５】
バーコード表示の少なくとも縦一列のみを隠蔽できる部分がシールの上端辺であって、ミシン目２ａにより長手方向に切り離し可能である部分２と、シールの左右端辺から突出した部分４、４’であって、その幅がバーコードの縦長さより長く、価格シールの他の表示を隠蔽しない長さに制限されていることを特徴とする請求項１記載の価格書換え用シール。
【発明の詳細な説明】
【技術分野】
【０００１】
本発明は、割引商品（おつとめ品）の価格書換えに用いられる価格書換え用シートに関する。
【背景技術】
【０００２】
近年、レジ清算の簡便化のために、通常の価格表示とは別に広く、光読み取り入力が可能なバーコード表示が使用されている。したがって、商品価格割引のために、値札を書換えようとするときには、旧価格を表示し直すとともに、バーコード表示も書きなおす必要がある。しかしながら、旧価格シール上に、単に新価格を表示した価格シールを貼り重ね、旧価格表示を隠蔽することになると、旧表示との対比ができず、需要者の購買意識を向上させるのに役立たない。
【発明の開示】
【発明が解決しようとする課題】
【０００３】
そのため、新価格表示の価格シールと旧価格シールに並列して貼り並べるようにすることが提案されるが、レジ清算時に誤って旧価格表示を読み取らせる場合が頻出し、レジ清算作業を遅延させる原因となる。したがって、誤作業がないように旧価格シール上にマジックインキ等でバツ印等の削除表示をする簡易方法が提案されるものの、商品表示を汚損し、商品価値を下落させるという欠点があるだけでなく、マジックインキ上からでも光読み取りが可能な場合があって、誤作業を完全なくすることは困難である。
そこで、新価格表示シールとは別に、旧バーコード表示を削除するシールの採用が提案されるが、２枚のシールを必要とし、しかも別々に貼り付け作業をする必要があるだけでなく、貼り忘れがあったりして、価格書換え作業を複雑にする欠点がある。
【課題を解決するための手段】
【０００４】
本発明は、かかる現状に鑑み、かかる価格書換え作業を容易に行える価格書換え用シールを提供すべく、鋭意研究の結果、バーコード表示は少なくとも縦１列のみを一部でなく、全部にわたって隠蔽すれば、光読み取りで認識されることがないことに着目してなされたもので、
値段表示部とそれに見合うバーコード表示部とを同時に書き換えのために表示部分と、商品上の旧価格シールのバーコード以外の表示を隠蔽することなく、バーコード表示の少なくとも縦一列のみを隠蔽できる部分を備えることを特徴とする価格書換え用シールにある。
【発明の効果】
【０００５】
本発明によれば、新たな値段表示とそれに見合うバーコード表示とを同時に書き換えることができるとともに、商品上の旧価格シールのバーコード以外の表示を削除することなく、バーコード表示の少なくとも縦一列のみを隠蔽できるので、旧価格との対比が容易にできるだけでなく、バーコードの読み間違えを完全に無くすことができる。
【発明を実施するための最良の形態】
【０００６】
本発明にかかる価格書換え用シール１は、図８に示すように、シール台紙５上に連続して粘着剤を介して貼り合わせ配列され、図示しないバーコードプリンタにて図１に示すように、表示部分３に値段表示部３ｂとそれに見合うバーコード表示部３ａとを同時にプリント表示して送り出されるようになっている。
上記表示部分３には、商品上の旧価格シールのバーコード以外の表示を削除することなく、バーコード表示の少なくとも縦一列のみを隠蔽できる部分２，２’、４、４’を備える。
図１においては、商品上の旧価格シールのバーコード以外の表示を削除することなく、バーコード表示の少なくとも縦一列のみを隠蔽できる部分は第１隠蔽シール２と第２隠蔽シールからなり、第１隠蔽シール２は、シール１の左端辺であり、ミシン目２ａにより長手方向に切り離し可能となっており（図１(ｂ)）、第２隠蔽シール４は、シール１の他の右端辺から突出した部分であって、その幅Ｗ１がバーコードの縦長さＷ２より長く、価格シールの他の表示を隠蔽しない長さに制限されている。
【０００７】
上記第１隠蔽シール２は商品６のバーコード部分８が商品の品質表示部７と別個に、商品の側面や裏側に表示してある場合に利用され、図１(b)に示すように、ミシン目２ａで切り離し、図２(ａ)に示すように、バーコード部分８の縦一列が完全に隠れるように貼り付け、旧バーコード表示を認識できないようにするとともに、右側表示部分３は切り離し、図２（ｂ）に示すように、商品６の購買者から見やすい位置に切り離した右側部分３を貼り付け、割引後の値段表示部３ｂとともにそれに相応するバーコード部３ａを表示する。
【０００８】
第２隠蔽シール４は、図３に示すように、刺身トレー９のようにインストア加工シール１０の場合に使用され,シールの製造者表示欄１２及び商品名表示１３等の書く直す必要のない部分を隠蔽することなく、旧バーコード表示１１の少なくとも縦１列を隠蔽するように旧シールのバーコードの左端に第２隠蔽シール４の先端が重なるように貼り付けて使用され、旧価格と新価格表示３ｂとを並列表示するとともに、旧バーコードは認識できないように隠蔽され、新バーコード３ａが認識できるようになっている。
【０００９】
上記実施例では、第１及び第２隠蔽シール２，４を１つのシール３に設けるようにして、図２の場合と、図３の場合の双方に使用できるようにしたが、いずれか一方に使用する場合には図４に示すように右端にのみ第２隠蔽シール４を設けた価格書換えシール１Ａの形態としたり、第５図に示すように、左端にのみ第１隠蔽シール２を設けた価格書換えシール１Ｂの形態とすることができる。
【００１０】
商品の表示形態により、上記実施例とは反対に、第１隠蔽シール２’を右側端辺に、第２隠蔽突出シール部分４を左側端辺に設け、価格書換えシール１Ｃのようにすることもできる。
また、図７に示すように、第２隠蔽突出シール部分４，４’を左右端辺に設け、切り離しの第１隠蔽シール２’を上端に設け、価格書換えシール１Ｄのようにすることもでき、これにより１つのシールで、種々のシール形態に適合するように変形することも可能である。
【産業上の利用可能性】
【００１１】
本発明の価格書換え用シールは価格表示とバーコード表示を同時に行う商品表示において、旧バーコード隠蔽部分と新価格表示部分とを備えるので、価格の書換えが迅速に行えるだけでなく、片面貼り忘れによる売価トラブルが起きず、しかも旧表示と新表示を併記できるので、購買者に割り引き価格を目視で認識させることができ、売上げ向上に役立つので、実用性の高い価格書換え用シールを提供することができる。
【図面の簡単な説明】
【００１２】
【図１】本発明に係る第１実施態様を示す平面図（ａ）、その切り離し態様を示す平面図（ｂ）である。
【図２】本発明に係る第１実施態様のシールの第１適用例の裏面を示す斜視図(a)，正面を示す斜視図である。
【図３】本発明に係る第１実施態様のシールの第２適用例の正面を示す斜視図である。
【図４】本発明に係る第２実施態様を示す平面図である。
【図５】本発明に係る第３実施態様を示す平面図である。
【図６】本発明に係る第４実施態様を示す平面図である。
【図７】本発明に係る第５実施態様を示す平面図である。
【図８】本発明の価格書換え用シールのプリント前の状態を示す斜視図である。
【符号の説明】
【００１３】
１  価格書換え用シール、２  第１隠蔽シール部分、３  価格表示部分、４  第２隠蔽シール部分、５  シール連続シート
【図１】
2005121721.tif 000003
【図２】
2005121721.tif 000004
【図３】
2005121721.tif 000005
【図４】
2005121721.tif 000006
【図５】
2005121721.tif 000007
【図６】
2005121721.tif 000008
【図７】
2005121721.tif 000009
【図８】
2005121721.tif 000010
【手続補正書】
【提出日】平成15年10月28日(2003.10.28)
【手続補正１】
【補正対象書類名】明細書
【補正対象項目名】００１２
【補正方法】変更
【補正の内容】
【００１２】
【図１】本発明に係る第１実施態様を示す平面図（ａ）、その切り離し態様を示す平面図（ｂ）である。
【図２】本発明に係る第１実施態様のシールの第１適用例の裏面を示す斜視図（ａ）、正面を示す斜視図（ｂ）である。
【図３】本発明に係る第１実施態様のシールの第２適用例の正面を示す斜視図である。
【図４】本発明に係る第２実施態様を示す平面図である。
【図５】本発明に係る第３実施態様を示す平面図である。
【図６】本発明に係る第４実施態様を示す平面図である。
【図７】本発明に係る第５実施態様を示す平面図である。
【図８】本発明の価格書換え用シールのプリント前の状態を示す斜視図である。